(57)【特許請求の範囲】
【請求項１】
遊技島台に設けられる上部島枠と下部島枠との間に形成される設置空間に遊技機の外枠の上辺部分又は下辺部分を固定する遊技機固定装置において、
前記遊技機固定装置は、
前記外枠の上辺部分又は下辺部分の後端面と当接して当該外枠の上辺部分又は下辺部分を後方から支持する支持部材と、
前記外枠の上辺部分又は下辺部分の内側面の平坦面を押圧固定する位置と当該平坦面の押圧固定を解除する位置との間で平行移動が可能に前記支持部材に取り付けられる押圧固定部材と、
該押圧固定部材に設けられた第一の取付面と前記支持部材に設けられた第二の取付面との間に介設されると共に、前記第二の取付面に対する前記第一の取付面の平行移動が可能なように前記押圧固定部材を前記支持部材に取り付ける平行移動取付手段と、を備え、
前記支持部材の前記第二の取付面は、後方から前方に向けて傾斜した状態で設けられ、
前記押圧固定部材は、前記第一の取付面の前端側で折曲されて前記平坦面を押圧する押圧部を備え、
該押圧部は、前方に向かって傾斜状態で設けられる前記第二の取付面に対して前記第一の取付面が接近するように前記平行移動取付手段によって平行移動されることで、前記平坦面を前方から後方に向けて斜め方向に押圧することを特徴とする遊技機固定装置。
【請求項２】
前記外枠の上辺部分の後端面と当接して当該外枠の上辺部分を後方から支持する前記支持部材は、前記外枠の上辺部分の後端面と当接して当該上辺部分を後方から支持する後端当接壁面部と、前記外枠の上辺部分の外側面と当接して前記押圧固定部材との間で当該上辺部分を挟持固定する上端当接壁面部と、を備えることを特徴とする請求項１記載の遊技機固定装置。
【請求項３】
前記遊技機固定装置は、さらに、
前記支持部材を前後方向にスライド移動可能に取り付ける取付ベースを備えることを特徴とする請求項１又は請求項２記載の遊技機固定装置。
【発明の詳細な説明】
【技術分野】
【０００１】
本発明は、遊技島台に設けられる上部島枠と下部島枠との間に形成される設置空間に遊技機の外枠を固定する遊技機固定装置に関するものである。
【背景技術】
【０００２】
従来、一般に、遊技島台に列設されるパチンコ機等の遊技機は、遊技島台に設けられる長尺板状の上部島枠と下部島枠との間に形成される設置空間に設置され、この上部又は下部の島枠と遊技機を構成する木製の外枠との間で釘が打ち込まれることにより、前後方向への傾斜角度（所謂「ねかせ角度」）を付けて遊技島台に固定されるようになっていた。ところが、近年では、遊技機を機種交換するサイクルが短くなったことで、遊技機の外枠との間で島枠に釘を打ち込む機会が増加しており、島枠には、釘打ちによって生じた無数の穴が残るようになっていた。このため、新しく遊技機を入れ替えようとしても、島枠に無数の穴が残った状態となり、このような無数の穴が邪魔をして、遊技機を正確に島枠に固定することができないという問題が生じていた。
そこで、特許文献１及び特許文献２に開示されているように、島枠を遊技機の外枠との間で釘打ちすることなく、遊技機を固定する遊技機固定装置が提案されている。特許文献１に記載の遊技機固定装置は、回転軸としてのボルトによって回転可能に設けられたカギ状部材によって外枠の下辺部分の上面（以下、これを下辺上面ともいう）を押さえ込むことで遊技機を固定するようになっている。特許文献２に記載の遊技機固定装置は、ボルト先端の球形状の係合部に揺動自在に取り付けられた円錐形状の圧着体によって外枠の下辺上面を押さえ込むことで遊技機を固定するようになっている。
【先行技術文献】
【特許文献】
【０００３】
【特許文献１】登録実用新案第３００８９１１号公報（図５）
【特許文献２】実開平７−３７２７５号公報（図１５）
【発明の概要】
【発明が解決しようとする課題】
【０００４】
上記特許文献１の遊技機固定装置によれば、回転軸を中心としたカギ状部材の回転によってカギ状部材の先端に設けられたカギ部を外枠の下辺上面に刺し込むことで遊技機を固定する構成となっている。しかしながら、このような構成では、遊技機の機種毎（具体的には、メーカー毎）で外枠の枠部（上辺、下辺、及び両側辺の部分）の厚さ寸法が異なっているため、外枠を固定する際のカギ状部材の回転位置が各種外枠毎で変わってしまう。その結果、カギ状部材によって外枠の下辺上面を押し込む強さ、即ち、遊技機の固定強度が遊技機の機種毎で変わってしまうという問題が生じる。
ところで、設置空間に設置される遊技機は、下部島枠の上面に完全な垂直状態で設置されるのではなく、前述した遊技機のねかせ角度からも分かるように、若干後方に傾斜した状態で設置される。このため、遊技機を固定する際に下方へ押圧される外枠の下辺部分の前端側には、若干の隙間が設けられる。従って、上記特許文献２の遊技機固定装置を構成する圧着体は、完全なる水平面を下方へ押圧するのではなく、前端側下面に隙間が生じるように傾斜した外枠の下辺部分内側面の傾斜面を下方に押圧することになるので、遊技者側からの引張力が遊技機にかかるような場合には遊技機がズレ易いという欠点がある。
本発明は、上記した事情に鑑みなされたもので、その目的とするところは、外枠を構成する枠部の厚さ寸法に関わらず遊技機を確実に固定することができると共に、遊技者側から引張力がかかるような場合でも強固に遊技機を固定することができる遊技機固定装置を提供することにある。
【課題を解決するための手段】
【０００５】
上記した目的を達成するために、請求項１の発明においては、遊技島台に設けられる上部島枠と下部島枠との間に形成される設置空間に遊技機の外枠の上辺部分又は下辺部分を固定する遊技機固定装置において、前記遊技機固定装置は、前記外枠の上辺部分又は下辺部分の後端面と当接して当該外枠の上辺部分又は下辺部分を後方から支持する支持部材と、前記外枠の上辺部分又は下辺部分の内側面の平坦面を押圧固定する位置と当該平坦面の押圧固定を解除する位置との間で平行移動が可能に前記支持部材に取り付けられる押圧固定部材と、該押圧固定部材に設けられた第一の取付面と前記支持部材に設けられた第二の取付面との間に介設されると共に、前記第二の取付面に対する前記第一の取付面の平行移動が可能なように前記押圧固定部材を前記支持部材に取り付ける平行移動取付手段と、を備え、前記支持部材の前記第二の取付面は、後方から前方に向けて傾斜した状態で設けられ、前記押圧固定部材は、前記第一の取付面の前端側で折曲されて前記平坦面を押圧する押圧部を備え、該押圧部は、前方に向かって傾斜状態で設けられる前記第二の取付面に対して前記第一の取付面が接近するように前記平行移動取付手段によって平行移動されることで、前記平坦面を前方から後方に向けて斜め方向に押圧することを特徴とする。
【０００６】
また、請求項２の発明においては、請求項１記載の遊技機固定装置において、前記外枠の上辺部分の後端面と当接して当該外枠の上辺部分を後方から支持する前記支持部材は、前記外枠の上辺部分の後端面と当接して当該上辺部分を後方から支持する後端当接壁面部と、前記外枠の上辺部分の外側面と当接して前記押圧固定部材との間で当該上辺部分を挟持固定する上端当接壁面部と、を備えることを特徴とする。
【０００７】
また、請求項３の発明においては、請求項１又は請求項２記載の遊技機固定装置において、前記遊技機固定装置は、さらに、前記支持部材を前後方向にスライド移動可能に取り付ける取付ベースを備えることを特徴とする。
【発明の効果】
【０００８】
請求項１の発明においては、遊技機（外枠）を設置空間内に設置する場合、先ず、外枠の上辺部分又は下辺部分の内側面の平坦面（下辺部分の内側面である上面又は上辺部分の内側面である下面）の押圧固定を解除する位置に押圧固定部材を移動させた状態で、外枠を設置空間に対して前方から水平方向に挿入して、外枠の上辺部分又は下辺部分の後端面を支持部材で支持する。そして、この状態から、押圧固定部材に設けられた第一の取付面が支持部材に設けられた第二の取付面に近づく方向に押圧固定部材を平行移動させて、押圧固定部材の押圧部で外枠の平坦面を押圧固定する。これにより、外枠を構成する枠部（上辺部分又は下辺部分）の厚さ寸法に関わらず、押圧部による外枠の押し込み角度を一定にすることができるので、押圧部によって外枠を押し込む強さ（遊技機の固定強度）を一定にすることができ、その結果、枠部の厚さ寸法に関わらず遊技機を確実に固定することができる。また、押圧部で外枠の平坦面を押圧固定する構成において、押圧部は、平坦面を前方から後方に向けて斜め方向に押圧するようになっている。このため、ねかせ角度を設けることで外枠の下辺部分の前端側下面に隙間が生じる構成においても、枠部に対して垂直方向にのみ押し込みを行うのではなく、押圧部が枠部に刺し込まれた状態で前方から後方に向けての押し込みも同時に行うので、遊技者側から引張力がかかるような場合でも強固に遊技機を固定することができる。
【０００９】
また、請求項２の発明においては、支持部材に設けられた後端当接壁面部で外枠の上辺部分の後端面を後方から支持し、この状態から、押圧固定部材を平行移動させて、当該押圧固定部材と支持部材に設けられた上端当接壁面部との間で外枠の上辺部分を挟持固定することにより、遊技機の上側部分を設置空間内に固定する。なお、従来では、遊技機の上側部分を固定する場合、外枠の上辺部分と上部島枠とを遊技機固定装置で挟み込んで固定していた。このため、外枠の上辺部分と上部島枠との隙間が広いようなときには、外枠の上辺部分を無理やり上部島枠側に押さえ付けていたので、外枠に変形や破損が生じるという不具合があった。これに対して、請求項２の構成によれば、外枠の上辺部分と上部島枠との隙間が広いような場合でも、外枠の上辺部分を無理やり上部島枠側に押さえ付ける必要がないので、外枠に変形や破損を生じさせることなく、遊技機の上側部分を確実に固定することができる。
【００１０】
また、請求項３の発明においては、支持部材が取付ベースに対して前後方向にスライド移動可能に取り付けられる。このため、支持部材のスライド移動量を調整することで、支持部材が外枠の後端面を支持する位置を前後方向に変更することができ、結果として、遊技機のねかせ角度の調整が可能になる。
【図面の簡単な説明】
【００１１】
【図１】遊技島台の内部構造の一部と玉貸機、外枠、及び間仕切りを示す正面斜視図である。
【図２】遊技島台の内部構造の一部と玉貸機、外枠、及び間仕切りを示す裏面斜視図である。
【図３】外枠、アウト玉箱、及び下側遊技機固定装置が取り付けられた下部島枠を示す斜視図である。
【図４】外枠及び上側遊技機固定装置が取り付けられた上部島枠を示す斜視図である。
【図５】下部島枠に取り付けられた下側遊技機固定装置を示す斜視図である。
【図６】下側遊技機固定装置を示す斜視図である。
【図７】同図（Ａ）は下側遊技機固定装置を示す平面図であり、同図（Ｂ）は下側遊技機固定装置を示す正面図である。
【図８】下部島枠に取り付けられた下側遊技機固定装置を示す前方からの斜視図である。
【図９】同図（Ａ）は下側遊技機固定装置を構成する押圧固定部材の平行移動を示す側面図であり、同図（Ｂ）は下側遊技機固定装置を構成するスライド部材のスライド移動を示す側面図である。
【図１０】上部島枠に取り付けられた下側遊技機固定装置を示す斜視図である。
【図１１】上側遊技機固定装置を示す斜視図である。
【図１２】上側遊技機固定装置を示す平面図である。
【図１３】同図（Ａ）は上側遊技機固定装置を構成する押圧固定部材の平行移動を示す側面図であり、同図（Ｂ）は上側遊技機固定装置を構成するスライド部材のスライド移動を示す側面図である。
【図１４】変形例における下側遊技機固定装置を示す斜視図である。
【発明を実施するための形態】
【００１２】
以下、図面を参照して本発明の実施形態について説明する。先ず、図１乃至図４を参照して、本実施形態に係る遊技島台１の概略構成について説明する。図１は、遊技島台１の内部構造の一部と玉貸機２、外枠９、及び間仕切り８を示す正面斜視図である。図２は、遊技島台１の内部構造の一部と玉貸機２、外枠９、及び間仕切り８を示す裏面斜視図である。図３は、外枠９、アウト玉箱１２、及び下側遊技機固定装置２０が取り付けられた下部島枠５を示す斜視図である。図４は、外枠９及び上側遊技機固定装置５０が取り付けられた上部島枠４を示す斜視図である。
【００１３】
図１及び図２に示すように、遊技島台１には、複数の遊技機（図示しない）を取り付けるための上部島枠４と、下部島枠５と、がそれぞれ遊技機の高さ寸法とほぼ同一の間隔をあけて当該遊技島台１の長手方向に沿って掛け渡されている。下部島枠５の前端側は、遊技者が玉箱などを載置するためのいわゆるカウンター板６として突設されている。上部島枠４は、遊技機の上方に配置される図示しない補給樋などを覆い隠すための幕板３が取り付けられる固定枠のうちの下側の枠としての機能を兼ね備えている。下部島枠５の下方には、遊技島台１で循環使用されるパチンコ玉を貯留するための図示しない貯留タンクなどを覆い隠すための腰板１４が取り付けられる。
【００１４】
上部島枠４と下部島枠５との間には、複数の遊技機間で所定の間隔を設けるための複数の間仕切り８が、遊技機の横幅寸法に当該遊技機に隣接されてパチンコ玉の貸し出しを制御する玉貸機２の横幅寸法を加えた値とほぼ同一の間隔をあけて取り付けられている。そして、上部島枠４、下部島枠５、及び隣接する２本の間仕切り８によって区画された空間が１台の遊技機を設置するための設置空間１０として構成されている。なお、図１及び図２中には、木製材料から形成されて遊技機内枠（図示しない本体枠や遊技盤から構成される部材）の外周部分を覆う矩形状の外枠９と、該外枠９の下辺前端に取り付けられる装飾カバー板１１と、上部島枠４の後側上面に取り付けられて遊技機から排出されたパチンコ玉を図示しない回収樋に送り込むアウト玉箱１２と、遊技機（外枠９）に隣接して設けられる玉貸機２と、が設置空間１０に取り付けられた状態を図示している。また、遊技機は、装飾カバー板１１が取り付けられた外枠９と、該外枠９内に取り付けられる遊技機内枠とから構成されるものである。
【００１５】
また、設置空間１０を区画形成する下部島枠５には、図３に示すように、遊技機を当該設置空間１０内に固定するための下側遊技機固定装置２０（遊技機固定装置）が左右２箇所に取り付けられている。一方、設置空間１０を区画形成する上部島枠４には、図４に示すように、傾斜角度（ねかせ角度）を調整可能に遊技機を当該設置空間１０内に固定するための上側遊技機固定装置５０が左右２箇所に取り付けられている。なお、下側遊技遊技機固定装置２０は、下部島枠５の後側上面に固定された支承板７の上面にビスで固定されることにより下部島枠５の上方に取り付けられ、上側遊技機固定装置５０は、上部島枠４の後端部分にビスで固定されることにより上部島枠４の下方に取り付けられる。
【００１６】
次に、下側遊技機固定装置２０の構成について、図５乃至図９を参照して説明する。図５は、下部島枠５に取り付けられた下側遊技機固定装置２０を示す斜視図である。図６は、下側遊技機固定装置２０を示す斜視図である。図７（Ａ）は、下側遊技機固定装置２０を示す平面図である。図７（Ｂ）は、下側遊技機固定装置２０を示す正面図である。図８は、下部島枠５に取り付けられた下側遊技機固定装置２０を示す前方からの斜視図である。図９（Ａ）は、下側遊技機固定装置２０を構成する押圧固定部材２３の平行移動を示す側面図である。図９（Ｂ）は、下側遊技機固定装置２０を構成するスライド部材２２のスライド移動を示す側面図である。
【００１７】
図５乃至図７に示すように、下側遊技機固定装置２０は、支承板７の上面にビス止めされる取付ベース２１と、該取付ベース２１にスライド移動可能に取り付けられる支持部材としてのスライド部材２２と、該スライド部材２２に取り付けられて外枠９の下辺部分の上面を下方に押圧して固定する押圧固定部材２３と、を備えている。取付ベース２１は、断面Ｌ字状に折曲された金属板から構成されている。取付ベース２１の底壁面２１ａには、取付ベース２１を支承板７にビス止めするための取付穴２４が穿設され、底壁面２１ａの両端には、それぞれスライド部材２２をスライド移動可能に取り付けるための取付凹部２５を形成するための金属片２６ａ，２６ｂがボルト２７で取り付けられている。なお、金属片２６ａの上面には、後述するスライド部材２２の側壁面３０に設けられる目盛り線３０ａとの間で、取付ベース２１に対するスライド部材２２のスライド移動量を目測できるようにするための目盛り線２６ｃが設けられている。一方、取付ベース２１の立壁面２１ｂには、ネジ穴２８が穿設されており、該ネジ穴２８には、取付ベース２１に対してスライド部材２２をスライド操作するためのスライド移動軸２９が取り付けられている。スライド移動軸２９は、ネジ穴２８と螺合する雄ネジ部２９ａが形成されたボルトから構成され、その後端には、当該スライド移動軸２９を回転操作するための操作部２９ｂが設けられている。
【００１８】
スライド部材２２は、金属板が折曲されて、左右の側壁面３０、第二の取付面としての上壁面３１、及び後壁面３２を備えた立方体形状に形成されている。左右の側壁面３０の下端には、それぞれ前述した取付ベース２１の取付凹部２５内に嵌入されてスライド部材２２を取付ベース２１に対してスライド移動可能に取り付ける取付凸部３３が外方に突出形成されている。また、側壁面３０には、スライド部材２２のスライド移動量を目測するための目盛り線３０ａが設けられている。なお、左右の側壁面３０の前端部分は、それぞれ下側遊技機固定装置２０によって外枠９を固定する際、外枠９の下辺部分の後端面と当接する当接部３０ｂを構成している。上壁面３１は、後方から前方に向けた下り傾斜面に形成され、そのほぼ中央部分には、後述する平行移動軸４０を取り付けるためのネジ穴３４（図９参照）が穿設されている。後壁面３２には、スライド移動軸２９の前端に設けられた前後一対のナット２９ｃによってスライド移動軸２９を回転自在に取り付ける取付切欠部３５が穿設されている。
【００１９】
そして、スライド部材２２は、支承板７上にビス止めされた取付ベース２１の取付凹部２５に取付凸部３３が内嵌して取り付けられることで、支承板７上で前後方向にスライド移動可能に設けられる。また、このような取付状態において、スライド部材２２の上壁面３１は、水平面となる支承板７の上面に対して後方から前方に向けた下り傾斜面として配置される。
【００２０】
押圧固定部材２３は、金属板が折曲されて、左右の側壁面３６及び第一の取付面としての上壁面３７を備えた断面凹形状に形成されている。左右の側壁面３６は、それぞれスライド部材２２の左右の側壁面３０を個々に外嵌する形状に形成されている。上壁面３７は、そのほぼ中央部分に取付穴３８が穿設されており、該取付穴３８には、ナット３９によって平行移動取付手段としての平行移動軸４０の上端部分が回転自在に取り付けられている。平行移動軸４０は、スライド部材２２のネジ穴３４（図９参照）と螺合する雄ネジ部４０ａが形成されたボルトから構成され、その上端には、当該平行移動軸４０を回転操作するための操作部４０ｂが設けられている。また、上壁面３７の前端側は、前方に延設されており、その先端部分は、下方にほぼ直角に折曲されて複数（実施形態中では、３つ）の押圧爪部４１（押圧部）が形成されている。
【００２１】
そして、押圧固定部材２３は、ネジ穴３４（図９参照）に対する捻じ込み及び捻じ込み解除が可能な平行移動軸４０を介してスライド部材２２の上壁面３１に取り付けられることで、上壁面３７が上壁面３１に対して常に平行な状態で移動（平行移動）可能に設けられる。また、このような取付状態において、押圧固定部材２３の上壁面３７は、水平な支承板７の上面に対して傾斜面となるスライド部材２２の上壁面３１と常に平行な状態となるため、上壁面３１と同様に後方から前方に向けた下り傾斜面として配置される。
【００２２】
なお、このように押圧固定部材２３の上壁面３７が後方から前方に向けた下り傾斜面として支承板７上に配置されることで、図８に示すように、上壁面３７上における平行移動軸４０の操作部４０ｂが設置空間１０の前方に向かって若干傾斜した状態で配置される。ところで、後で詳述する下側遊技機固定装置２０による外枠９の固定作業を行う場合、遊技島台１の外側から外枠９の枠内空間に身を乗り入れて作業を行うものであるが、このような作業を行うときには、平行移動軸４０の操作部４０ｂが前方に若干傾斜されていることで、操作部４０ｂを回転操作し易くなっている。
【００２３】
しかして、以上説明した下側遊技機固定装置２０によって外枠９の下側部分を設置空間１０内に固定する場合、先ず、外枠９を設置空間１０の前方から挿し入れる。このとき、押圧固定部材２３は、図９（Ａ）に示すように、平行移動軸４０のネジ穴３４に対する捻じ込み解除によって、スライド部材２２から遠ざかる方向に平行移動され、押圧爪部４１と支承板７との間隔が外枠９の下辺部分の厚さ寸法Ｌ１よりも大きくとられることで、外枠９の設置空間１０内への挿入を押圧爪部４１が阻害しない位置に移動されている。また、スライド部材２２は、図９（Ｂ）に示すように、スライド移動軸２９のネジ穴２８に対する捻じ込み又は捻じ込み解除によって、前後方向にスライド移動され、当接部３０ｂが外枠９の下辺後端面と当接する位置、即ち、設置空間１０内における外枠９の下側部分の前後方向の設置位置が調整されている。
【００２４】
そして、外枠９の下辺後端面が当接部３０ｂと当接されて設置空間１０内への外枠９の挿入が完了すると、平行移動軸４０をネジ穴３４に捻じ込むことで、押圧固定部材２３をスライド部材２２に近づく方向に平行移動し、最終的に、押圧爪部４１が外枠９の下辺上面に刺し込まれながら当該下辺上面を下方に押し込む位置まで押圧固定部材２３を平行移動させる。これにより、押圧固定部材２３（押圧爪部４１）と支承板７との間で外枠９の下辺を挟持固定する。
【００２５】
ところで、上記したように支承板７との間で外枠９の下辺を挟持固定する押圧固定部材２３の上壁面３７は、後方から前方に向けた下り傾斜面となるスライド部材２２の上壁面３１に対して常に平行な状態で移動（平行移動）するようになっている。このため、上壁面３７の前端で下方にほぼ直角に折曲して設けられた押圧爪部４１は、外枠９の下辺部分の厚さ寸法に関わらず（例えば、図９（Ａ）に示すように、前述した厚さ寸法Ｌ１よりも小さい厚さ寸法Ｌ２に対しても）、外枠９を一定の押し込み角度で押し込むことになるので、押圧爪部４１によって外枠９を押し込む強さ（遊技機の固定強度）を一定にすることができ、その結果、下辺部分の厚さ寸法に関わらず遊技機を確実に固定することができる。
【００２６】
また、押圧爪部４１で外枠９の平坦面となる下辺上面（下辺部分の内側面）を押圧固定する構成において、押圧爪部４１は、下辺上面に刺し込まれながら当該下辺上面を前方から後方に向けて斜め方向に押圧するようになっている。このため、ねかせ角度を設けることで外枠９の下辺部分の前端側下面に隙間が生じる構成においても、下辺部分に対して垂直方向にのみ押し込みを行うのではなく、押圧爪部４１が下辺部分に刺し込まれた状態で前方から後方に向けての押し込みも同時に行うので、遊技者側から引張力がかかるような場合でも強固に遊技機を固定することができる。
【００２７】
次に、上側遊技機固定装置５０の構成について、図１０乃至図１３を参照して説明する。図１０は、上部島枠４に取り付けられた上側遊技機固定装置５０を示す斜視図である。図１１は、上側遊技機固定装置５０を示す斜視図である。図１２は、上側遊技機固定装置５０を示す平面図である。図１３（Ａ）は、上側遊技機固定装置５０を構成する押圧固定部材５３の平行移動を示す側面図である。図１３（Ｂ）は、上側遊技機固定装置５０を構成するスライド部材５２のスライド移動を示す側面図である。
【００２８】
図１０乃至図１３に示すように、遊技機固定装置としての上側遊技機固定装置５０は、上部島枠４の後端部分にビス止めされる取付ベース５１と、該取付ベース５１にスライド移動可能に取り付けられる支持部材としてのスライド部材５２と、該スライド部材５２に取り付けられて外枠９の上辺部分の下面を上方に押圧して固定する押圧固定部材５３と、を備えている。取付ベース５１は、長板状の基板部５４を備えた金属板が折曲されて形成されている。基板部５４の前端側には、取付ベース５１を上部島枠４の後端部分にビス止めするための取付穴５５を穿設したビス止めフランジ部５６が折曲形成されている。一方、基板部５４の後端側には、ネジ穴５７を穿設した取付フランジ部５８が折曲形成されている。ネジ穴５７には、取付ベース５１に対してスライド部材５２をスライド操作するためのスライド移動軸５９が取り付けられている。スライド移動軸５９は、ネジ穴５７と螺合する雄ネジ部５９ａが形成されたボルトから構成され、その後端には、当該スライド移動軸５９を回転操作するための操作部５９ｂが設けられている。
【００２９】
また、取付ベース５１の基板部５４には、スライド部材５２のスライド方向となるその長手方向に沿って長穴６０が穿設されており、該長穴６０には、取付ベース５１に対してスライド部材５２を保持するための保持ボルト６１が取り付けられている。保持ボルト６１は、雄ネジ部６１ａが長穴６０を挿通して取り付けられ、その上端には、当該保持ボルト６１を回転操作するための操作部６１ｂが設けられている。なお、保持ボルト６１は、後述するスライド部材５２のネジ穴６４に対する雄ネジ部６１ａの捻じ込み量によって、取付ベース５１に対してスライド部材５２がスライド移動可能な状態とスライド移動不可能な状態との２つの状態でスライド部材５２の保持を行うようになっている。また、基板部５４の短手方向の両端には、それぞれスライド部材５２のスライド移動を案内するための案内フランジ部６２が下方に折曲形成されている。即ち、左右一対の案内フランジ部６２が形成された基板部５４は、後述するスライド部材５２のスライド基部６３を内嵌する断面凹形状に形成されている。なお、案内フランジ部６２の外壁面には、後述するスライド部材５２の取付フランジ部６８に設けられる目盛り線６８ａとの間で、取付ベース５１に対するスライド部材５２のスライド移動量を目測できるようにするための目盛り線６２ａが設けられている。
【００３０】
スライド部材５２は、長板状のスライド基部６３を備えた金属板が折曲されて形成されている。スライド基部６３には、前述した保持ボルト６１の雄ネジ部６１ａと螺合してスライド部材５２を取付ベース５１に保持するネジ穴６４が穿設されている。スライド基部６３の前側には、押圧固定部材５３を取り付けるための取付壁面部６５（第二の取付面）が折曲形成されている。取付壁面部６５は、後方から前方に向けた上がり傾斜面に形成され、そのほぼ中央部分には、後述する平行移動軸７３を取り付けるためのネジ穴６５ａが穿設されている。また、取付壁面部６５の前端には、上側遊技機固定装置５０によって外枠９を固定する際、外枠９の上辺部分の後端面と当接する後端当接壁面部としての当接壁面部６６ａと外枠９の上辺部分の上端面と当接する上端当接壁面部としての当接壁面部６６ｂとが「く」の字状に折曲して形成されている。一方、スライド基部６３の後端側には、取付穴６７を穿設した取付フランジ部６８が折曲形成されている。取付穴６７には、前後一対のナット５９ｃによってスライド移動軸５９の前端部分が回転自在に取り付けられる。なお、取付フランジ部６８の側端部分には、スライド部材５２のスライド移動量を目測するための目盛り線６８ａが設けられている。
【００３１】
そして、スライド部材５２は、上部島枠４の後端部分にビス止めされた取付ベース５１の基板部５４及び左右の案内フランジ部６２によって形成された凹部内にスライド基部６３が内嵌され、この状態で取付ベース５１の長穴６０を挿通した保持ボルト６１の雄ネジ部６１ａがネジ穴６４と螺合されることにより取付ベース５１に保持される。また、このとき、スライド部材５２は、ネジ穴６４に対する雄ネジ部６１ａの捻じ込み量に応じて、取付ベース５１に対してスライド移動可能な状態、あるいはスライド移動不可能な状態のいずれかの状態で保持が行われる。また、このような取付状態において、スライド部材５２の取付壁面部６５は、水平面となる上部島枠４の下面に対して後方から前方に向けた上がり傾斜面として配置される。
【００３２】
押圧固定部材５３は、金属板が折曲されて、左右の側壁面６９及び第一の取付面としての下壁面７０を備えた断面凹形状に形成されている。左右の側壁面６９は、それぞれスライド部材５２の取付壁面部６５の両端を個々に外嵌する形状に形成されている。下壁面７０は、そのほぼ中央部分に取付穴７１が穿設されており、該取付穴７１には、ナット７２によって平行移動取付手段としての平行移動軸７３の下端部分が回転自在に取り付けられている。平行移動軸７３は、スライド部材５２のネジ穴６５ａと螺合する雄ネジ部７３ａが形成されたボルトから構成され、その下端には、当該平行移動軸７３を回転操作するための操作部７３ｂが設けられている。また、下壁面７０の前端側は、前方に延設されており、その先端部分は、上方にほぼ直角に折曲されて複数（実施形態中では、３つ）の押圧爪部７４（押圧部）が形成されている。
【００３３】
そして、押圧固定部材５３は、ネジ穴６５ａに対する捻じ込み及び捻じ込み解除が可能な平行移動軸７３を介してスライド部材５２の取付壁面部６５に取り付けられることで、下壁面７０が取付壁面部６５に対して常に平行な状態で移動（平行移動）可能に設けられる。また、このような取付状態において、押圧固定部材５３の下壁面７０は、水平な上部島枠４の下面に対して傾斜面となるスライド部材５２の取付壁面部６５と常に平行な状態となるため、取付壁面部６５と同様に後方から前方に向けた上がり傾斜面として配置される。
【００３４】
なお、このように押圧固定部材５３の下壁面７０が後方から前方に向けた上がり傾斜面として上部島枠４の下方に配置されることで、下壁面７０の下方における平行移動軸７３の操作部７３ｂが設置空間１０の前方に向かって若干傾斜した状態で配置される。このため、前述した下側遊技機固定装置２０における平行移動軸４０の操作部４０ｂと同様に、後で詳述する上側遊技機固定装置５０による外枠９の固定作業を行う場合には、平行移動軸７３の操作部７３ｂが前方に若干傾斜されていることで、操作部７３ｂを回転操作し易くなっている。
【００３５】
次に、以上説明した上側遊技機固定装置５０によって遊技機（外枠９）を設置空間１０内で傾斜角度の調整を可能に固定する手順について説明する。なお、上側遊技機固定装置５０による外枠９の固定作業は、遊技機の傾斜角度の調整を考慮すれば、前述した下側遊技機固定装置２０による外枠９の固定作業が完了した後に行われることが望ましく、以下の説明では、設置空間１０内への外枠９の挿入が完了していることを前提として説明を行う。但し、外枠９を設置空間１０の前方から挿し入れる際、押圧固定部材５３は、図１３（Ａ）に示すように、平行移動軸７３のネジ穴６５ａに対する捻じ込み解除によって、スライド部材５２から遠ざかる方向に平行移動され、押圧爪部７４とスライド部材５２の当接壁面部６６ｂとの間隔が外枠９の上辺部分の厚さ寸法Ｌ３よりも大きくとられることで、外枠９の設置空間１０内への挿入を押圧爪部７４が阻害しない位置に移動されている。また、スライド部材５２は、ネジ穴６４に対する保持ボルト６１（雄ネジ部６１ａ）の捻じ込みが弱められることで、スライド移動軸５９を回転操作すると、取付ベース５１に対してスライド移動する状態で保持されている。
【００３６】
そして、外枠９の上辺上面が当接壁面部６６ｂと当接された状態で外枠９の上辺後端面が当接壁面部６６ａと当接されて設置空間１０内への外枠９の挿入が完了すると、平行移動軸７３をネジ穴６５ａに捻じ込むことで、押圧固定部材５３をスライド部材５２に近づく方向に平行移動し、最終的に、押圧爪部７４が外枠９の上辺下面（上辺部分の内側面）に刺し込まれながら当該上辺下面を上方に押し込む位置まで押圧固定部材５３を平行移動させる。これにより、押圧固定部材５３（押圧爪部７４）とスライド部材５２の当接壁面部６６ｂとの間で外枠９の上辺を挟持固定する。
【００３７】
その後、上記したように押圧固定部材５３とスライド部材５２の当接壁面部６６ｂとの間で外枠９の上辺部分を固定した状態から、取付ベース５１に設けたスライド移動軸５９の操作部５９ｂを回転操作することによって、取付フランジ部５８に穿設されたネジ穴５７に対して雄ネジ部５９ａを捻じ込み又は捻じ込み解除する。これにより、取付ベース５１に対してスライド部材５２が前後方向にスライド移動するので、押圧固定部材５３とスライド部材５２の当接壁面部６６ｂとの間で挟持固定された遊技機（外枠９）は、前述したように下側部分が下側遊技機固定装置２０によって固定された状態で、上側部分が上側遊技機固定装置５０によって前後方向にスライド移動することになり、これによって、前後方向への傾斜角度（ねかせ角度）が調整されるようになっている。また、スライド部材５２が前後方向にスライド移動されて遊技機の傾斜角度が決定したら、スライド部材５２のネジ穴６４に対する保持ボルト６１（雄ネジ部６１ａ）の捻じ込みを強めることで、スライド移動軸５９を回転操作しても、取付ベース５１に対してスライド部材５２がスライド移動しない保持状態で固定される。
【００３８】
ところで、上記したようにスライド部材５２の当接壁面部６６ｂとの間で外枠９の上辺を挟持固定する押圧固定部材５３の下壁面７０は、後方から前方に向けた上がり傾斜面となるスライド部材５２の取付壁面部６５に対して常に平行な状態で移動（平行移動）するようになっている。このため、下壁面７０の前端で上方にほぼ直角に折曲して設けられた押圧爪部７４は、外枠９の上辺部分の厚さ寸法に関わらず（例えば、図１３（Ａ）に示すように、前述した厚さ寸法Ｌ３よりも小さい厚さ寸法Ｌ４に対しても）、外枠９を一定の押し込み角度で押し込むことになるので、押圧爪部７４によって外枠９を押し込む強さ（遊技機の固定強度）を一定にすることができ、その結果、上辺部分の厚さ寸法に関わらず遊技機を確実に固定することができる。
【００３９】
また、上側遊技機固定装置５０の構成によれば、スライド部材５２に設けられた当接壁面部６６ａで外枠９の上辺部分の後端面を後方から支持し、この状態から、押圧固定部材５３を平行移動させて、当該押圧固定部材５３とスライド部材５２に設けられた当接壁面部６６ｂとの間で外枠９の上辺部分を挟持固定することにより、遊技機の上側部分を設置空間１０内に固定する。ところで、従来では、遊技機の上側部分を固定する場合、外枠の上辺部分と上部島枠とを遊技機固定装置で挟み込んで固定していた。このため、外枠の上辺部分と上部島枠との隙間が広いようなときには、外枠の上辺部分を無理やり上部島枠側に押さえ付けていたので、外枠に変形や破損が生じるという不具合があった。これに対して、上側遊技機固定装置５０の構成によれば、外枠９の上辺部分と上部島枠４との隙間が広いような場合でも、外枠９の上辺部分を無理やり上部島枠４側に押さえ付ける必要がないので、外枠９に変形や破損を生じさせることなく、遊技機の上側部分を確実に固定することができる。
【００４０】
また、上側遊技機固定装置５０の構成によれば、スライド部材５２が取付ベース５１に対して前後方向にスライド移動可能に取り付けられる。このため、スライド部材５２のスライド移動量を調整することで、スライド部材５２が外枠９の後端面を支持する位置を前後方向に変更することができ、結果として、遊技機のねかせ角度の調整を可能にしている。
【００４１】
なお、上記した実施形態の下側遊技機固定装置２０では、押圧固定部材２３をスライド部材２２に対して平行移動可能に取り付ける平行移動取付手段として、１本のボルトである平行移動軸４０から構成しているが、この構成に限定するものではない。例えば、図１４に示す変形例における下側遊技機固定装置２０’の構成としてもよい。下側遊技機固定装置２０’は、下側遊技機固定装置２０と同様に、押圧固定部材２３の上壁面３７とスライド部材２２の上壁面３１との間に平行移動軸４０が介設されており、さらには、当該平行移動軸４０の後側（上壁面３７における押圧爪部４１とは反対側）には、平行移動軸４０と同様のボルトから構成されるもう１本の平行移動軸８０が介設されている。即ち、下側遊技機固定装置２０’は、押圧固定部材２３の上壁面３７の長手方向に沿って２本の平行移動軸４０，８０を備え、該２本の平行移動軸４０，８０を平行移動取付手段として押圧固定部材２３の上壁面３７がスライド部材２２の上壁面３１に対して平行移動可能に取り付けられている。また、下側遊技機固定装置２０’を構成する押圧固定部材２３の上壁面３７には、平行移動軸４０の前側（押圧爪部４１側）にボルト取付用のネジ穴８１が穿設されている。
【００４２】
しかして、下側遊技機固定装置２０’によって外枠９の下辺部分を固定する際には、各平行移動軸４０，８０の捻じ込みによって、押圧爪部４１が外枠９の下辺上面に刺し込まれながら当該下辺上面を下方に押し込む位置まで押圧固定部材２３を平行移動させる。そして、ネジ穴８１に図示しないボルトを捻じ込むことで、当該ボルトの先端部分で外枠９の下辺上面を押さえ込む。
【００４３】
ところで、前述した下側遊技機固定装置２０では、スライド部材２２に対する押圧固定部材２３の取り付けを１本のボルト（平行移動軸４０）でのみ行っている。このため、外枠が硬度の低い木材ではなく、硬度の高いプラスチック、鉄、あるいはアルミ等で形成されている場合、平行移動軸４０の捻じ込みによって押圧固定部材２３を平行移動させて、押圧爪部４１が外枠９の下辺上面を下方に押し込むようにしても、押圧爪部４１は外枠９の下辺上面に刺し込まれることがなく、逆に、硬度の高い外枠によって押圧爪部４１が押し返されて（のけ反る状態となって）、外枠を確実に固定することができない虞がある。
【００４４】
これに対して、変形例の下側遊技機固定装置２０’では、スライド部材２２に対する押圧固定部材２３の取り付けを上壁面３７の長手方向に沿って並設された２本のボルト（平行移動軸４０，８０）で行い、然も、外枠９の下辺上面に対する押し込みを押圧爪部４１のみならず、ネジ穴８１に捻じ込まれたボルトの先端部分でも行うようになっている。このため、硬度の高い外枠を固定する場合でも、外枠による押圧爪部４１の押し返し（のけ反り）を抑えることができ、強い押し込み力で外枠を確実に固定することができる。また、平行移動軸８０の代わりに、押圧固定部材２３の後端に折り曲げた後壁面を所定の長さで設けることでも、押圧爪部４１の押し返し（のけ反り）をスライド部材２２の上壁面３１に当接させることで抑えることができ、強い押し込みで外枠９を確実に固定することができる。
【００４５】
また、実施形態中では、本発明に係る押圧固定部材の押圧部を爪形状の押圧爪部としているが、必ずしもこの構成に限定するものではない。但し、外枠が硬度の低い木材で形成されている場合には、押圧部を押圧爪部とすることで、遊技機固定装置で外枠を固定する際に押圧爪部を外枠に刺し込んで押さえ込むようにできるので、外枠の固定強度をより一層高めることができる。
【符号の説明】
【００４６】
１  遊技島台
２  玉貸機
４  上部島枠
５  下部島枠
７  支承板
８  間仕切り
９  外枠
１０  設置空間
１１  装飾カバー体
２０  下側遊技機固定装置（遊技機固定装置）
２１  取付ベース
２２  スライド部材（支持部材）
２３  押圧固定部材
２９  スライド移動軸
３０  側壁面
３０ａ  当接部
３１  上壁面（第二の取付面）
３２  後壁面
３６  側壁面
３７  上壁面（第一の取付面）
４０  平行移動軸（平行移動取付手段）
４１  押圧爪部（押圧部）
５０  上側遊技機固定装置（遊技機固定装置）
５１  取付ベース
５２  スライド部材（支持部材）
５３  押圧固定部材
５９  スライド移動軸
６５  取付壁面部（第二の取付面）
６６ａ  当接壁面部（後端当接壁面部）
６６ｂ  当接壁面部（上端当接壁面部）
７０  下壁面（第一の取付面）
７３  平行移動軸（平行移動取付手段）
７４  押圧爪部（押圧部）
【図１】
0005617354.tif 000002
【図２】
0005617354.tif 000003
【図３】
0005617354.tif 000004
【図４】
0005617354.tif 000005
【図５】
0005617354.tif 000006
【図６】
0005617354.tif 000007
【図７】
0005617354.tif 000008
【図８】
0005617354.tif 000009
【図９】
0005617354.tif 000010
【図１０】
0005617354.tif 000011
【図１１】
0005617354.tif 000012
【図１２】
0005617354.tif 000013
【図１３】
0005617354.tif 000014
【図１４】
0005617354.tif 000015